(57)【要約】      （修正有）【課題】音声入力文字化とキーボード操作を簡易にする為に、音声単音毎に定義処理即ち演算処理する為に、ランダムアクセスメモリーを並列にし、かつスイッチ素子で並列にしたランダムアクセスメモリーに音声をアナログ／ディジタルコンバーターで数値化した、サンプルを逐次ランダムアクセスメモリーに入力し、定義処理即ち演算処理し、単音の一つのパターンと比較して音声文字化を行い、かつソフトウエアの設定やインストールのキーボード操作入力の手続手順を記憶素子から発して行い、更にハードディスク記憶装置など、ソフトウエアプログラムの壊れて作動しないものに対して、強制消去、強制読出しを行え、操作を簡易にした。【解決手段】磁気ディスク等の磁気のアナログ効果を利用してディジタル圧縮して、情報転送装置等を用い情報を一括管理し、更に情報の読み出し即ち盗みや書込みのイタズラに対処する為の情報安全装置を設け、情報の安全性を高めた。【選択図】図１
2006337970.tif 000002
【特許請求の範囲】
【請求項１】
音声をマイクで増幅してフィルターで音声の高周波とか余分な成分を除去し、アナログ／ディジタルコンバーターで数値化し、更に音声を文字変換する為、発音速度が個体差によって異なる為、演算処理部に入力するにはソフトウェアで、演算処理部の速度は一定であるがソフトウェアプログラムで調整を行っていた。そこで音声入力文字化の処理の前にランダムアクセスメモリーと発音の一音毎の発声の句間検知して複数のランダムアクセスメモリーを並列接続し交互に送信使用して、発声の音声文字化定義処理を一定にし、更に速度を高速にする為の高速出力命令回路によって、発声の一音毎の速度を例えば数１００倍にして、演算処理部に送り込み、数値化パターン認識の演算回数を多数回にでき、ファジー計算も出来ることに依り、発音の個体差、個人毎の発音の速度の違いにも対応できる定義処理とする、そして更に発音の認識できない語に対してタッチパネルディスプレイにて手書入力によって訂正入力でき、またこのタッチパネルディスプレイは様々な機能を有する事から、様々な使用もできる、そして文章上の句読点やカッコやスラッシュ、数字他記号などは発音入力よりもキー入力の方が速い為、キー入力を設けても良い、更に機械電気製造等も制御できる。
【請求項２】
音声入力自動化パソコンを自動化にする為にソフトウェアプログラミングの設定やインストールの為の従来のソフトウエアプログラミングのキー操作手続手順を記憶素子に記憶させ逐次発信出力して自動化して簡易にする為に従来のパソコンの電子回路を変える事により、実行できる、そして更にソフトウエアプログラミングを新しくし、コンピュータウイルス、ビットエラーによるパソコン内回路構成をスイッチで一部構成を変える事により動作しないパソコンをインストール又は内部データを読み出しが出来る。
【請求項３】
音声入力自動化パソコンで、コンピュータウイルスや何等の原因でソフトウエアプログラミングが壊れて、音声自動入力化パソコン動作しなくなった時、強制的にソフトウエアプログラム及びデータ等、記憶装置から記憶を消去し、又は強制的に読み出しを行い、更に暗証等を忘れる又は間違って不明に成った時、強制的に読み出す電子回路即ちハードディスク記憶装置などを動作させるマイクロプロセッサーユニットを切り離し、論理回路に強制消去又は読み出しの命令語又はプログラムを組み入れておき、消去信号回路とハードディスク記憶装置制御回路をスイッチにより接続動作させる事により、強制消去、強制読みだしを行う事が出来る。
【発明の詳細な説明】
【技術分野】
【０００１】  本発明は、キー操作を出来るだけ少なくし、簡易な操作で誰でも、音声入力、タッチパネルディスプレイによる手書き入力そして一部文章上の記号等キー手動操作で情報を入力できる音声入力自動化パソコンとソフトウエアプログラムの従来のキー手動操作入力を記憶素子にキー手動操作によって発信する、ディジタル符号を記憶素子から発信して、ソフトウエアプログラムの設定やインストールの自動化と更にソフトウエアノ壊れたもの、即ちコンピュータウイルスやビットエラーなどによりアッセプラと基本ソフトウエアプログラムが壊れると演算が出来ない、マイクロプロセッサユニットが動作しない為、ハードディスク記憶装置が作動しない、即ち全体が動かないものに対して強制的にインストール即ち消去、そして強制的に読み出しする為の電子回路に関する。
【背景技術】
【０００２】  従来の音声入力文字化補助装置又は音声入力自動化パソコンは、タッチパネルディスプレイと音声文字化電子回路と組合せ、タッチパネルディスプレイの多様な機能を用いて発声の間違いの訂正と、誤変換の訂正を行い、音声入力文字化の欠点を補い、更に様々な機能を用い、音声入力文字化補助装置だけで出来ない部分を補っていた、そして更にソフトウエアプログラムの設定やインストールの従来のキー手動操作を記憶素子にキー手動操作手順を記憶素子よりキー手動操作によるディジタル符号の発信して、ソフトウエアプログラムの設定やインストールを行い電子回路で構成されている。
（特許文献１）特開平８−８３０１２
（特許文献２）２００１−０７７１８１【０００３】  従来の音声入力文字化自動化パソコンの電子回路では定義処理と中央処理演算部又はマイクロプロセッサユニットと組合せる事により、音声文字化を定義処理で行い、例えば漢字変換などを含めたワープロソフトウエアプログラム、各種ソフトウエアプログラムは従来のソフトウエアを中央処理演算部即ちマイクロプロセッサユニットで行い、文字化変換を２つに分担する事により処理変換時間が簡単に言えば１／２の時間で処理できたが、但し人間の発音、例えば一音の更に人の感情や個体差で一音毎の発音にも、速いのと遅い時があり、そして更にアナログ／ディジタルコンバーター入力時間が遅いと、数値化ディジタルの量が多くなる欠点があった、その為、一音の発音、同じ音又は語でも音声パターンは同じでも、数値化ディジタル符号量が多い、少ないがありこれも誤変換の原因と成った。【０００４】  従来の音声入力文字化自動化パソコンではソフトウエアプログラムの設定やインストールに対して、従来のキーボード手動操作の手続手順によるディジタル符号発信してソフトウエアプログラムの設定又はインストールを記憶素子に記憶させ、記憶素子よりキーボード手動操作と同じ様に、記憶素子によりディジタル符号を発信して中央処理演算部即ちマイクロプロセッサにて基本ソフト等を動かして、各種ソフトウエアプログラムの設定やインストール等を行っていたが、コンピュータウイルスやビットエラー等と暗証を忘れ、又は打ち間違ったりして、暗証不明な時にソフトウエアプログラムの設定やインストールが出来なくなった。
（特許文献１）特開平８−８３０７２
（特許文献２）２００１−０７７１８１
【発明の開示】
【発明が解決しようとする課題】
【０００５】  本発明は以上のような従来の欠点に鑑み、音生入力文字化自動化パソコンでは、単音毎の定義処理で、音声の文字化パターン認識を行い、ローマ字のアルファベット、又は平仮名に変換していたが、人間の個体差や感情により、単音にて述べると、単音の早い、遅いがあり、これらも誤変換の原因と成っていた、この為、誤変換や間違い又は悪いもの対処する為手書入力により又はキーボード等で訂正を行っていた、しかしながらこの欠点を解消する為に音声入力文字化自動化パソコンでは、音声アナログ／ディジタルコンバーターのにしてランダムアクセスメモリー用いて、音声入力の人間の単音毎の時間を早くし、均一化して定義処理への入力時間、例えば数１００倍早くして演算処理の回路を多くして、誤変換を出来るだけ少なくし、又発音の間違いなどに対処する為手動入力でアルファベット即ちローマ字又は平仮名によるタッチパネルディスプレイにて手書入力で対応処理したものを提供できる。【０００６】  音声入力文字化自動化パソコンではソフトウエアプログラムの設定やインストールに対して、従来のキーボード操作によって逐次ディジタル符号発信して、ソフトウエアプログラムの設定やインストールのキーボード操作と同様な手続手順を実行していたが、これと同様に記憶素子にキーボード操作によって逐次ディジタル符号を発信するプログラムを持った記憶素子によってソフトウエアプログラムの設定やインストールを行っていた、しかしながら基本ソフトウエアプログラムや各種ソフトウエアなどがコンピュータウイルスやビットエラー等の不測の出来事により壊れた時、基本ソフトウエアプログラムや各種ソフトウエアプログラムが動作しなくなる、これによって記憶素子からキーボード操作と同様に基本ソフトウエアプログラムや各種ソフトウエアプログラムの設定やインストールの為の手続手順のディジタル符号プログラムを発信しても動作しない場合がある、そして暗証を忘れ又はキーボードに打ち間違い等によって、記憶部に格納されたデータ他等、読出しが実行できない場合がある、これらを解決する為、記憶素子等を用いて、一部電子回路をスイッチ素子によって切換える事によって、強制インストール又は強制読出しが出来る。
【課題を解決するための手段】
【０００７】  上記目的を達成するために、本発明は（請求項１音声をマイクで増幅してフィルターで音声の高調波とか余分な成分を除去し、アナログ／ディジタルコンバーターで数値化し、更に音声を文字変換する為、発音速度が個体差によって異なる為、演算処理部に入力するにはソフトウエアで、演算処理部の速度は一定であるがソフトウエアプログラムで調整を行っていた、そこで音声入力文字化の処理の前にランダムアクセスメモリと発音の一音毎の発声の句間検知して複数のランダムアクセスメモリを並列接続し交互に送信使用して、発声の音声文字化定義処理を一定にし、更に速度を高速にする為の高速出力命令回路によって、発声の一音毎の速度を例えば数１００倍にして、演算処理部に送り込み、サンプリングパターン認識の演算回数を多数回にでき、ファジー計算も出来ることに依り、発音の個体差、個人毎の発音の速度の違いにも対応できる定義処理とする、そして更に発音の認識できない語に対してタッチパネルディスプレイにて手書き入力によって訂正入力ができ、またこのタッチパネルディスプレイは様々な機能を有する事から、様々な使用もできる、そして文章上の句読点がカッコやスラッシュ、数字他記号などは発音入力よりもキー入力の方が速い為、キー入力を設けてもよい、更に機械電気製造等も制御もできる。）とで音声入力自動化パソコンを構成している。【０００８】  音声をマイクで集音して、アナログ／ディジタルコンバーターで数値化即ちディジタル符号化して、従来は定義処理にて処理したが、ディジタル符号の定義処理への入力速度或いは入力時間が逐次入力の為、遅かった。その解決としてランダムアクセスメモリーを複数並列として、一音の句間で一音の検知を行い、ランダムアクセスメモリーには逐次入力し、検出回路により、高速出力回路、スイッチ素子により、ランダムアクセスメモリーへの一音毎のディジタル符号を逐次入力し、高速出力回路により、交互に一音毎の出力速度を例えば数１００倍にすると、定義処理即ちコンピュータの演算処理は高速の為、その高速処理で演算すると、処理回数が従来より多くなる、その為一音の数値化パターン認識の偏差又はファジーな部分又は語迄で計算できる事により、よりファジーな語迄一音毎の音声文字化ができる。更にタッチパネルディスプレイを組み合わせる事により発音の言い間違い、又は吃音者などに対して、手書き入力より発音の訂正でなく、手書き入力訂正が出来る。【０００９】  （請求項２の音声入力自動化パソコンを自動化にする為にソフトウエアプログラムの設定やインストールの為の従来のソフトウエアプログラムのキー操作手続手順を記憶素子に記憶させ逐次発信出力して自動化して簡易にする為に従来のパソコンの電子回路を変える事により、実行できる、そして更にソフトウエアプログラミングを新しくし、コンピュータウィルス、ビットエラーによるパンコン内回路構成をスイッチで一部構成を変える事により動作しないパソコンをインストール又は内部データを読み出しが出来る）とで音声入力自動パソコンを構成している。【００１０】  音声入力自動化パソコンで、各種ソフトウエアプログラムが動作しなくなった時、コンピュータウイルス、ビットエラー、暗証の間違い等、様���な原因でソフトウエアプログラムが壊れた時、従来のパソコンは動作しない、その為パソコン内電子回路をスイッチで切り、回路構成を変え、記憶素子又は記憶部から発信プログラムよりハードディスク記憶装置の消去又は読み出し行える。【００１１】  （請求項３の音声入力自動化パソコン、又は従来のパソコン等でコンピュータウイルスや何等の原因でソフトウエアプログラミングが壊れて、動作しなくなった時、強制的にソフトウエアプログラミングを消去し、更に暗証等を忘れる又は間違って入力し不明に成った時、強制的に読み出す電子回路即ちハードディスク記憶装置などを動作させるマイクロプロセッサーユニットを切り離し、論理回路に強制消去又は読み出しの命令語又はプログラムを入れておき、消去信号回路とハードディスク記憶装置制御回路をスイッチにより接続動作させる事により、強制消去、読み出しを行う事が出来る）事で音声入力自動化パソコンを構成している。【００１２】  音声入力自動化パソコン又は従来のパソコンで、基本ソフトウエアプログラム又はソフトウエアプログラムがコンピュータウイルス、ビットエラー等何等の原因で動作不良に成った時、ハードディスク記憶装置など動作させるマイクロプロセッサユニットをスイッチで切り離し、パソコン内電子回路構成を変え、ハードディスク記憶装置周辺回路を独立させ、ハードディスク記憶装置とハードディスク記憶装置制御回路と、強制消去、強制読み出しの為の命令語を入れた論理回路をスイッチで動作させ、強制消去、強制読み出しなどでデータが読み出せる、但し強制読み出しは単にハードディスク記憶装置からデータ等全て、又暗証等も全て、複製する為に暗証を飛び越え様ソフトウエアプログラムに暗証の前後、例えば０を前後に複数いれ、これを解説ソフトウエアプログラムで認識し、暗証を飛び越える必要がある。【００１３】  音声入力自動化パソコンでは上述に述えたハードウエア即ち電子回路を、発明したが音声入力自動化パソコンをより簡易にする為には基本ソフトウエアプログラム、上部ソフトウエアプログラムを変える事により、より簡易に成る、例えば基本ソフトウエアプログラムの最初のページで従来のソフトウエアプログラムでは、最新の見開きページで全プログラムを表示し、目的のそれぞれの目的の即ち目的のプログラムにアイコンでポインターにクリックして、目的のプログラムにしたが解りづらかった、更にそこから枝分ソフトにした為、元に戻るに対して難解だった。【００１４】  表記の様にハードウエアだけではキー操作のみ簡易になったが、例えばソフトウエアプログラムを、最初の見開きページで、ディスプレイ画面で、８〜１２位のソフトウエアプログラムの題名と効果又は説明を表示し、これを数回に分けて、１番目８〜１２タイトル、そして例えば次画面で同様に表示し、そして何回目で最初に戻る、垂直と水平の二種で構成してこれは人間のアナログ要素の思考によるものである、そして上部ソフトプログラムに導入していくと、目的の仕事をするための従属タイトルプログラムをクリックすると従来直接その従属プログラムになるが、目的の従属プログラムをアイコン又はポインターにて指定してクリックすると従属プログラムに成り、間違った時に戻すのが困難��った。これを従属プログラムにアイコン又はポインターにてクリックすると、目的の仕事の内容の説明が表示して、更に間違った時には元に戻る又は目的の仕事のプログラムの為の表示してクリックすると目的の仕事のプログラムに成る、そして基本ソフトウエアプログラム、各種ソフトウエアプロ前画面即ち前のプログラムに元に戻る表示しアイコンをクリックしソフトウエアの前の画面に戻る、これも人間のアナログ要素感覚に合わせる事により簡易に成る事により音声入力自動化パソコンの取扱が簡単に出来る。
【発明の効果】
【００１５】  以上の説明から明らかなような、本発明にあっては次に列挙する効果が得られる。
（１）「請求項１」の構成要件とで構成されているので音声入力文字化をランダムアクセスメモリーを並列に接続し一音の句間で認識し、スイッチにてランダムアクセスメモリーを交互に出力し、高速出力回路からの信号、スイッチ信号とクロックによりの数値化ディジタル符号を、一音の発声の時間を数１００倍にし、定義処理で演算回数を今迄より例えば１００倍程度増す事によりファジーな計算が出来る事により誤変換が無くなる、そして発声の間違い、吃音等対処する為タッチパネルディスプレイにて手書き入力で対処した、そして定義処理で音声文字化する事により、この部分は従来のキーボードに該当する事により、音声定義処理と手書き入力定義処理とで文字入力であるから前記定義処理回路以降は従来のパソコンの電子回路構成であるから、従来のＯＳソフトウエア、上部ソフトウエアが使用出来、更に後述するアナログ要素を盛り込んだ新しいソフトウエアプログラムにすると更に簡易になる、そして更に機械電気製造等も制御できる。【００１６】（２）「請求項２」の構成要件で構成されているので従来の基本ソフトウエアや各種ソフトウエアの設定やインストールが簡単に操作でき、且つコンピュータウイルスやビットエラーでパソコンが動作しない時パソコンを構成する電子回路をスイッチで切り換える事により、したがって外部又は内部記憶素子から入出力回路を介してマイクロプロセッサユニット直接動作させソフトウエアプログラムの強制消去や強制読み出しが出来る。【００１７】（３）「請求項３」構成要件とで構成されているので音声入力自動化パソコンで、コンピュータウイルスや何等の原因でソフトウエアプログラムが壊れて、音声入力自動化パソコンが動作しなくなった時、強制的にソフトウエアプログラム、及びデータ等、記憶装置から記憶を消去し、又は強制的に読み出しを行い、更に暗証等を忘れる又は間違って不明に成った時、強制的に読み出す電子回路即ちハードディスク記憶装置などを動作させるマイクロプロセッサユニットを切り離し、論理回路に強制消去又は読み出しの命令語又はプログラムを組み入れておき、消去回路とハードディスク記憶装置、制御回路をスイッチにより接続動作させる事により、強制消去、強制読み出しを行う事が出来る。
【発明を実施するための最良の形態】
【００１８】  以下、図面に示す発明を実施するための最良の形態により、本発明を詳細に説明する。【００１９】  図１ないし図２の本発明を実施するための最良の第１の形態において、図１の音声入力自動化パソコンにおいてマイク１で集音してアンプ２で増幅してフィルター３で音声成分（パターン）から余分な成分を取り除き、アナログ／ディジタルコンバーター４にて数値化し、単音の句間の無音に近い部分で一音を検出回路８にて検知して、複数の並列のランダムアクセスメモリー６ａ，６ｂにスイッチ素子５ａと５ｂそして５ｃと単音毎の無音の句間の検出回路７からスイッチ素子５ａ又は５ｂのスイッチ素子を交互に接続して、ランダムアクセスメモリー６ａ，６ｂに単音毎のディジタル符号を逐次入力して、更に高速出力回路８から定義処理９の処理速度又は演算時間の為のクロック信号を高速出力回路８に送り、高速出力回路８よりランダムアクセスメモリー６ａ，６ｂに送り、同時に定義処理９にて行う音声数値化パターン認識の為の、ディジタル符号をスイッチ素子５ｂ，５ｄにランダムアクセスメモリ６ａ，６ｂ出力タイミングに合わせる為、スイッチ素子５ｂ，５ｄに、高速出力回路８からランダムアクセスメモリー６ａ，６ｂと出力側スイッチ素子５ｂ，５ｄ又はランダムアクセスメモリー６ａ，６ｂにクロック信号を送り、出力させそしてランダムアクセスメモリー６ａ，６ｂ出力に合わせスイッチ素子５ｂ，５ｄに高速出力回路８からスイッチ接続、切り離し指令信号を送る、そして定義処理９にはマイクロプロセッサーユニットからのクロック信号を４分の１か２０分の１にして定義処理９に送り、処理、演算して単音毎の音声入力変換を行う、そして音声文字化出力する。【００２０】  図１のタッチパネルディスプレイ１１にて発音の間違い、吃音、同音異語等に対して、対処する為、手書き入力が出来、且つ数字、文章上の記号他等はキーを設け、キー操作の方が早いのと、記号が増え発音又は読めない人の為に、例えばカッコだけど数種類あり発音だけでは無理なものがある、しかしながら逆にキーボード１２のキーを増やすとキーを探すのが困難な為、タッチパネルディスプレイ１１にてタッチパネルディスプレイ機能変更キーにてタッチパネルディスプレイ１１の機能変更をして記号等を表示して、タッチして指定し実行入力できる。【００２１】  図２に示す本発明を実施する為の補助の形態において、図１にて上述した音声入力自動パソコンにては、単に音声による文字又は文章の入力だけではなく、ソフトウエアプログラムの設定やインストール等も自動化する必要がある、その為図２の記憶素子１６にソフトウエアプログラムの設定やインストール等の従来のＣＤ等に入っているＣＤ読み出し機等を動作させ、ソフトウエアプログラムの設定など従来のキーボード操作の手続手順を記憶素子１７にディジタル符号を、図１のキーより実行指令して、論理回路１５ｂにて記憶素子１７からディジタル符号を読出し、設定、インストールを行えるが、しかしながらＯＳソフトウエアプログラム、上部ソフトウエアプログラムがコンピュータウイルス、ビットエラー等で壊れた時動作しなかった、その為、音声入力自動パソコンにては、マイクロプロセッサユニット１４と従来のラ���ダムアクセスメモリー６ｃとの間にスイッチ素子５ｅを入れ、マイクロプロセッサユニットと従来の記憶部とを切り離し、記憶素子１７より強制的に論理回路１６を経て入出力１３を介し、マイクロプロセッサユニット１４を動かし入出力１３を経て消去回路１８とハードディスク記憶装置２０、制御回路１９を動かし、強制的にハードディスク記憶装置２０を動作させ強制的に消去、又は読出し出力にて行える、そしてディスプレイ１５はタッチパネルディスプレイとして、ディスプレイ１５でタッチパネルディスプレイと使用し、タッチパネルディスプレイ１０と同様に機能変換でき手書入力他等ができ、そして更に機械電気製造等も制御もできる。【００２２】  図２の記憶素子１７はディジタル符号を記憶させる事により、機械言語、ＯＳソフトウエアによりプログラム言語をも全て、記憶出力できる事により、図１の実行キー入力により、記憶素子１７から論理回路１６を経て入出力１３を経て、直接消去回路１８とハードディスク記憶装置２０、制御回路１９を直接、動作させ、ハードディスク記憶装置２０を強制的に消去、読出しが行える、これはランダムアクセスメモリ６ｃとマイクロプロセッサ１４が従来、接ながっていた為、ソフトウエアプログラムが壊れるとパンコンの動作しなかった為である、本発明ではスイッチ素子５ｅでマイクロプロセッサユニット１４とランダムアクセスメモリー６ｃを切り離し記憶素子１７を用いて、マイクロソフトウエアプログラム言語等のソフトウエアプログラムにてハードディスク記憶装置２０を直接動かし、消去、読出しができる、更にランダムアクセスメモリー６ｃはバックアップ又は電源をスイッチなど切れば、消去する、更に強制読出しに関し、ソフトウエアプログラムとデータ等を一括して出してしまう、その為暗証を含めて、ハードディスク記憶装置２０から他のハードディスク記憶装置にソフトウエアプログラムとデータと暗証など一括して情報を転移した為、そのままでは他のパソコンで読出すには暗証を忘れて、動作しないデータ等を読出すには、予めソフトウエアプログラムに暗証の前後に例えば数字、記号又文字など複数挿入しておき、その数字、記号又文字を認識してジャンプするソフトウエアプログラムが必要となる。【００２３】  図３は更に図２と同様に強制消去、強制読出しを行うソフトウエアプログラム言語又は強制消去、強制読出しの命令を行う、ディジタル符号を記憶部２２を用い、図１の回路１２から実行キーにより指令でハードディスク記憶装置２０とランダムアクセスメモリー６ｃとマイクロプロセッサｌ４とスイッチ素子５ｅで切り離し、同時にスイッチ素子５ｅにて記憶部２２から強制消去、強制読出しのプログラム又は命令を組み込んだ記憶部２２に図１の回路１２よりキー入力指定して、記憶部２２とスイッチ素子５ｅに記憶部２２から強制消去、強制読出しのプログラム又は命令を出力させスイッチ素子５ｅを経てマイクロプロセッサ１４にて強制消去又は強制読出しの判断して、入出力を経て論理回路１６を経て、制御回路１９にてハードディスク記憶装置２０を動作させ、強制消去の時は消去回路１８を動作させ強制消去を行える、更に強制読出しの時記憶部２２に強制読出しのプログラム、又は命令語をマイクロプロセッサーユニット１４にて入出力１３を介して論理回路１６経て、ハードディスク記憶装置２０の制御回路１９にてハードディスク記憶装置２０を動作させディジタル出力Ａ２にて出力する、ただし他パソコン内ハードディスク記憶装置に全データを入れると暗証の不明のものに対して結局、読出させない、その為、最初の暗証入力する前後に数字、文字、記号など組み込み、読出しの時のその数字、文字、記号を認識し他のパソコンで暗証をジャンプさせ読出すソフトウエアプログラムが必要である。【００２４】  次に、図４に示す本発明を実施する為の異なる形態につき説明する。なお、これらの本発明を実施する為の異な形態の説明に当たって前記本発明を実施する為の最良の第一の形態と同一構成部分には同一符号を付して重複する説明を省略する。音声入力自動パソコンに於いて強制消去、強制読出しに当たって、スイッチ２１にて論理回路１９、ハードディスク記憶装置２０の制御回路１９に指令して、更にスイッチ素子５ｅに指令して音声入力自動パソコンの電子回路を構成する中でハードディスク記憶装置２０の周辺回路のみにし、即ちハードディスク記憶装置２０のを動作させる最小の回路構成とし、スイッチボックス２１内にて強制消去即ち全インストールし、又は強制読出しにて強制読出しをＡ２にて出力する、強制消去、強制読出しを行うには、スイッチボックス２１内にて強制消去のスイッチボックス２１内強制消去のスイッチを入れると論理回路１６にてハードディスク記憶装置２０を動作させる制御回路１９と消去回路１８を動作させハードディスク記憶装置２０に指令動作させ全消去する。強制読出し行うのはスイッチボックス２１内強制読出しを行うに先行述べた強制消去の方法と同様に、スイッチボックス２１内強制読出しを行いスイッチを入れると論理回路１６にてハードディスク記憶装置２０に対して、制御回路１９を動作させ、ハードディスク記憶装置２０を動作させ出力Ａ２させ強制読出しを行う、しかしながら、他のパソコンのハードディスク記憶装置に全データを入れると、暗証の不明のものに対して結局、読出させない、その為最初の暗証などを入るソフトウエアプログラムを工夫して、暗証入力する前後に数字、文字、記号を認識して暗証をジャンプするソフトウエアプログラムが必要である。【００２５】  図４にては、図１、図２、図３の音声入力自動パソコンを行う為には、ソフトウエアプログラムをも変え補完する事により更に操作が簡単に成る、即ち、（見開き１）最初画面又は最初のページで各種ソフトウエアプログラムを選択開始のマーク又はソフトウエアプログラム上のスイッチをアイコンを押圧板又はマウスなどでクリックして、見開きページ即画面にて各種実行ソフトウエアプログラムに例えばＳ１からＳ４迄の目的の内Ｓ１を選択するとＳ１実行プログラムに成り、目的のソフトウエアプログラムを実行する、更に目的のソフトウエアプログラムを実行するに対して更にＳ１のソフトウエアプログラム中の数種のソフトウエアプログラムが有るか、今迄は小さなマークを選択クリックするソフトウエアプログラムに進むが、本発明でパソコンの扱いを簡単にする為に、今迄のソフトウエアプログラムの次の実行ソフトウエアプログラムに進む��際して、画面上の次に進む為のマーク又は形等を押圧板又はマウスなどで、目的の実行ソフトウエアプログラムマーク、又は形、文等を従来目的の実行ソフトウエアプログラムを選ぶに際して、従来のマーク又は形、文を２つに分け、１つは目的の実行ソフトウエアプログラムに進むが、もう一つはその目的の実行ソフトウエアプログラムの目的内容の説明に成り、そしてアナログ的感覚にする為に元に戻るを必ず分かり易く画面上に入れ、アイコン、ポインターなどで指定して、元に戻るを例えばＳ１からＳ４、そして見開き画面に戻るも同様に元に戻るを入れ、更に見開き画面２、見開き画面も同様にし、Ｓ１からＳ１２迄で同元に戻るをパターン化、見開き画面１から見開き画面４進み、更に進むと見開き画面１に戻る、これをパターン化して、実際の画面上で、例えば図４の見開き２ではＳ１からＳ４だが、実際に増やせる、そして各種ソフトウエアプログラムを挿入する際には本発明ソフトウエアプログラムを設定やインストールの為の従来のキーボード操作によるキー操作の手続手順即ちディジタル符号を図１、図２の記憶素子１８より設定、インストール出来る、そして図４の見開き画面２から見開き画面４迄のＳ１からＳ１２迄の例えばＳ１若しくはＳ５などで更に例えばＳ５を選択してＳ５にソフトウエアプログラムを挿入又はインストール出来る、そして見開き画面１から見開き画面２を進み、Ｓ５をクリックして目的実行ソフトプログラムを実行出来る、これは人間はアナログ感覚で判断する為、ソフトウエアプログラム要素を取り入れる事で、音声入力自動パソコンの取扱い、使用が簡易になる、更に例えばコンピュータウイルス等は主にＥメール等送付された時などメールの前後に数字、文字、記号を設け、それを消去の為ディスク記憶装置迄消去するようなソフトウエアプログラムを設けても良い。
【産業上の利用可能性】
【００２６】  本発明は音声入力自動パソコンを製造する産業で利用される。
【図面の簡単な説明】
【００２７】
【図１】  本発明を実施する為の最良の第一の形態のブロック図及び一部電子回路図。
【図２】  本発明を実施する為の最良の第一の形態の図１の続く電子回路ブロック図。
【図３】  本発明を実施する為の第２の形態の図２の異なる図。
【図４】  本発明を実施する為の第３の形態の電子回路ブロック図。
【図５】  本発明を実施するための第一の形態を補助する為のフローシート図。
【符号の説明】
【００２８】１  マイク
２  アンプ
３  フィルター
４  アナログディジタルコンバーター
５  ５ａ，５ｂ，５ｃ，５ｅスイッチ素子
６  ６ａ，６ｂ，６ｃランダムアクセスメモリー
７  検出回路
８  高速出力回路
９  定義処理
１０  タッチパネルディスプレイ
１１  キー入力部
１２  図１の回路
１３  入出力
１４  マイクロプロセッサユニット
１５  ディスプレイ又はタッチパネルディスプレイ
１６  論理回路
１７  記憶素子
１８  消去回路
１９  制御回路
２０  ハードディスク記憶装置
２１  スイッチ
２２  記憶部
２３  Ｓ１〜Ｓ１２迄ソフトウエアプログラムの配列記号
２４  見開き１〜見開き４（メニュー）ソフトウエアプログラムの配列記号
２５  機械電気製品
【図１】
2006337970.tif 000003
【図２】
2006337970.tif 000004
【図３】
2006337970.tif 000005
【図４】
2006337970.tif 000006
【図５】
2006337970.tif 000007